(57)【要約】【課題】番組の詳細情報が表示されるまでの時間を短縮することができるようにする。【解決手段】番組再生装置１には複数のチューナが設けられている。この複数のチューナを用いることによって、番組表から１つの番組（コンテンツ）が選択され、番組説明画面を表示することがユーザにより指示される前に、カーソルなどによってユーザにより選択されている番組と同じチャンネルによって放送される番組の詳細情報を予め受信し、デコードしておくことができるようになされている。本発明は、EPGデータを扱う録画機器、テレビジョン受像機、パーソナルコンピュータに適用することができる。【選択図】図１
2009130755.tif 000002
【特許請求の範囲】
【請求項１】
複数のチューナを有する表示制御装置において、
前記複数のチューナのうちのいずれかのチューナを用いて所定のチャンネルで提供されるコンテンツを受信している状態のときに、未使用のチューナを用いて、所定のコンテンツの詳細情報を記述したテーブル情報を受信させる受信制御手段と、
前記所定のコンテンツの詳細情報を表示することが指示された場合、前記受信制御手段による制御によって受信された前記テーブル情報に基づいて詳細情報を表示させる表示制御手段と
を備える表示制御装置。
【請求項２】
前記受信制御手段は、所定のチャンネルで提供される前記コンテンツを受信している状態であって、番組表に表示される、コンテンツの選択に用いられるカーソルの移動がユーザにより指示されたときに、未使用のチューナを用いて、前記テーブル情報の受信を開始させる
請求項１に記載の表示制御装置。
【請求項３】
前記受信制御手段は、前記カーソルによって選択されたコンテンツの詳細情報を記述した前記テーブル情報を受信させた後、さらに、前記カーソルによって選択されたコンテンツと同じチャンネルで提供されるコンテンツの詳細情報を記述した前記テーブル情報を受信させる
請求項２に記載の表示制御装置。
【請求項４】
複数のチューナを有する表示制御装置の表示制御方法において、
前記複数のチューナのうちのいずれかのチューナを用いて所定のチャンネルで提供されるコンテンツを受信している状態のときに、未使用のチューナを用いて、所定のコンテンツの詳細情報を記述したテーブル情報を受信させ、
前記所定のコンテンツの詳細情報を表示することが指示された場合、受信された前記テーブル情報に基づいて詳細情報を表示させる
ステップを含む表示制御方法。
【請求項５】
複数のチューナを有する表示制御装置の表示制御処理をコンピュータに実行させるプログラムにおいて、
前記複数のチューナのうちのいずれかのチューナを用いて所定のチャンネルで提供されるコンテンツを受信している状態のときに、未使用のチューナを用いて、所定のコンテンツの詳細情報を記述したテーブル情報を受信させ、
前記所定のコンテンツの詳細情報を表示することが指示された場合、受信された前記テーブル情報に基づいて詳細情報を表示させる
ステップを含むプログラム。
【発明の詳細な説明】
【技術分野】
【０００１】
本発明は、表示制御装置、表示制御方法、およびプログラムに関し、特に、番組の詳細情報が表示されるまでの時間を短縮することができるようにした表示制御装置、表示制御方法、およびプログラムに関する。
【背景技術】
【０００２】
デジタル放送に対応したテレビジョン受像機やデジタル録画機器などの番組再生装置には、通常、EPG(Electronic Program Guide)データに基づいて番組表を表示させる機能がある。
【０００３】
具体的には、番組表の表示は、EPGデータとしてのSI-EIT(Service Information-Event Information Table)を用いて行われる。ARIB(Association of Radio Industries and Businesses) STD-B10で規定されるSI-EITには、番組のタイトル、放送日時、放送内容などの、番組に関連する情報が含まれる。
【０００４】
このSI-EITを用いて、いわゆるラテ欄形式などの任意のレイアウトの番組表が番組再生装置により画面上に表示される。
【０００５】
SI-EITには、主に、EIT[schedule basic]とEIT[schedule extended]がある。
【０００６】
EIT[schedule basic]には、番組のタイトル、ジャンル、放送日時などの簡単な情報が含まれる。これに対し、EIT[schedule extended]には、番組の出演者、あらすじなどの詳細情報が含まれる。EIT[schedule extended]は、EIT[schedule basic]と比べてデータ量が多い。
【０００７】
EIT[schedule basic]はデータ量が比較的少ないため、番組再生装置においては、全番組分の情報について受信し、保存しておくことが所定の周期で行われる。番組表の表示が指示されたとき、保存しておいたEIT[schedule basic]に基づいて、例えば、放送が行われるチャンネルと時間帯に応じてそれぞれの番組に表示欄が割り当てられたラテ欄形式の番組表が表示される。それぞれの表示欄には、EIT[schedule basic]に含まれる番組のタイトルなどの簡単な情報が表示される。
【０００８】
ラテ欄形式の番組表からカーソルなどによって１つの番組が選択されたとき、画面の表示は、タイトルや放送日時の情報とともに、選択された番組の詳細情報を表示する番組説明画面に切り替えられる。この番組説明画面の詳細情報の表示に、EIT[schedule extended]が用いられる。
【０００９】
ユーザ（視聴者）は、EIT[schedule extended]に基づいて番組説明画面に表示される、出演者、あらすじなどの詳細情報を確認することができる。
【００１０】
特許文献１には、番組の詳細情報として、視聴の可否を表す情報を表示する技術が記載されている。
【特許文献１】特開２００１−２５１５６８号公報
【発明の開示】
【発明が解決しようとする課題】
【００１１】
EIT[schedule basic]の受信は所定の周期で行われるのに対して、EIT[schedule extended]の受信は、番組説明画面を表示させる１つの番組が番組表から選択されたときに行われる。
【００１２】
詳細情報が表示されるのはEIT[schedule extended]の受信が完了した後になるため、ユーザは、番組を選択したタイミングによっては、詳細情報を確認することができるようになるまでに、SI-EITの再送信周期間隔である２０秒〜３６０秒の間待たされる。
【００１３】
ユーザが行った操作が即座に表示に反映されないため、このことは、ユーザにストレスを与えてしまうことになる。
【００１４】
本発明はこのような状況に鑑みてなされたものであり、番組の詳細情報が表示されるまでの時間を短縮することができるようにするものである。
【課題を解決するための手段】
【００１５】
本発明の一側面の表示制御装置は、複数のチューナを有する表示制御装置において、前記複数のチューナのうちのいずれかのチューナを用いて所定のチャンネルで提供されるコンテンツを受信している状態のときに、未使用のチューナを用いて、所定のコンテンツの詳細情報を記述したテーブル情報を受信させる受信制御手段と、前記所定のコンテンツの詳細情報を表示することが指示された場合、前記受信制御手段による制御によって受信された前記テーブル情報に基づいて詳細情報を表示させる表示制御手段とを備える。
【００１６】
前記受信制御手段には、所定のチャンネルで提供される前記コンテンツを受信している状態であって、番組表に表示される、コンテンツの選択に用いられるカーソルの移動がユーザにより指示されたときに、未使用のチューナを用いて、前記テーブル情報の受信を開始させることができる。
【００１７】
前記受信制御手段には、前記カーソルによって選択されたコンテンツの詳細情報を記述した前記テーブル情報を受信させた後、さらに、前記カーソルによって選択されたコンテンツと同じチャンネルで提供されるコンテンツの詳細情報を記述した前記テーブル情報を受信させることができる。
【００１８】
本発明の一側面の表示制御方法またはプログラムは、複数のチューナのうちのいずれかのチューナを用いて所定のチャンネルで提供されるコンテンツを受信している状態のときに、未使用のチューナを用いて、所定のコンテンツの詳細情報を記述したテーブル情報を受信させ、前記所定のコンテンツの詳細情報を表示することが指示された場合、受信された前記テーブル情報に基づいて詳細情報を表示させるステップを含む。
【００１９】
本発明の一側面においては、複数のチューナのうちのいずれかのチューナを用いて所定のチャンネルで提供されるコンテンツを受信している状態のときに、未使用のチューナを用いて、所定のコンテンツの詳細情報を記述したテーブル情報を受信させることが行われる。また、前記所定のコンテンツの詳細情報を表示することが指示された場合、受信された前記テーブル情報に基づいて詳細情報を表示させることが行われる。
【発明の効果】
【００２０】
本発明の一側面によれば、番組の詳細情報が表示されるまでの時間を短縮することができる。
【発明を実施するための最良の形態】
【００２１】
図１は、本発明の一実施形態に係る番組再生装置１の構成例を示すブロック図である。
【００２２】
図１に示されるように、番組再生装置１には、チューナ１７−１乃至１７−ｎの複数のチューナが設けられる。
【００２３】
番組再生装置１においては、この複数のチューナを用いることによって、番組表から１つの番組（コンテンツ）が選択され、番組説明画面を表示することがユーザにより指示される前に、カーソルなどによってユーザにより選択されている番組と同じチャンネルによって放送される番組の詳細情報を予め受信し、デコードしておくことができるようになされている。
【００２４】
CPU(Central Processing Unit)１１は、ROM(Read Only Memory)１２に記憶されているプログラムを実行し、システムバス１６を介して接続される各部の動作を制御する。RAM(Random Access Memory)１３は、CPU１１によって実行されるプログラムや、プログラムの実行に必要な一時的なデータなどを記憶する。これらのCPU１１、ROM１２、およびRAM１３は、システムバス１６により相互に接続されている。
【００２５】
CPU１１にはまた、システムバス１６を介してインタフェース（I/F）１４が接続されている。インタフェース１４は、リモートコントローラ１５からの赤外線を受光し、ユーザ操作の内容を表す信号をCPU１１に出力する。
【００２６】
チューナ１７−１乃至１７−ｎは、図示せぬアンテナからのデジタル放送信号を受信し、受信信号を復調器１８−１乃至１８−ｎにそれぞれ出力する。
【００２７】
復調器１８−１乃至１８−ｎは、チューナ１７−１乃至１７−ｎから供給された受信信号を復調し、番組の映像信号、音声信号、字幕データの他に、EPGデータであるSI-EITが多重化されたトランスポートストリームをデスクランブラ１９−１乃至１９−ｎにそれぞれ出力する。
【００２８】
デスクランブラ１９−１乃至１９−ｎは、復調器１８−１乃至１８−ｎから供給されたトランスポートストリームに対してデスクランブル処理を施し、デスクランブル処理を施すことによって得られたトランスポートストリームを多重分離器２０−１乃至２０−ｎにそれぞれ出力する。
【００２９】
多重分離器２０−１乃至２０−ｎは、デスクランブラ１９−１乃至１９−ｎから供給されたトランスポートストリームから所定のストリームを抽出する。多重分離器２０−１乃至２０−ｎは、抽出したストリームを構成するパケットのうち、字幕の内容を表すパケットを字幕デコーダ２３に、映像の内容を表すパケットを映像デコーダ２４に、音声の内容を表すパケットを音声デコーダ２５に、それぞれ出力する。
【００３０】
多重分離器２０−１乃至２０−ｎのうちの多重分離器２０−１は、抽出したストリームを構成するパケットのうちのSI-EITの内容を表すパケットを、バッファ２１を用いて抽出し、SI-EITデコーダ２２に出力する。
【００３１】
SI-EITデコーダ２２は、多重分離器２０−１から供給されたSI-EITパケットをデコードし、デコードして得られたSI-EITをバッファ２２Ａに格納する。
【００３２】
上述したように、SI-EITには、タイトルやジャンルなどの簡単な情報が含まれるEIT[schedule basic]と、出演者やあらすじなどの詳細情報が含まれるEIT[schedule extended]がある。
【００３３】
SI-EITデコーダ２２は、新たなEIT[schedule basic]が格納されたパケットが多重分離器２０−１から所定の周期で供給される毎に、供給されたパケットをデコードして新たなEIT[schedule basic]を取得し、バッファ２２Ａに格納しておいたEIT[schedule basic]を更新する。バッファ２２Ａに格納されているEIT[schedule basic]は、番組表の表示がユーザにより指示されたとき、映像信号処理回路２６に供給される。
【００３４】
また、SI-EITデコーダ２２は、EIT[schedule extended]が格納されたパケットが多重分離器２０−１から供給された場合、供給されたパケットをデコードし、デコードして得られたEIT[schedule extended]をバッファ２２Ａに格納する。バッファ２２Ａに格納されているEIT[schedule extended]は、番組表から１つの番組が選択され、番組説明画面の表示がユーザにより指示されたとき、映像信号処理回路２６に供給される。
【００３５】
字幕デコーダ２３は、多重分離器２０−１乃至２０−ｎから供給されたパケットをデコードし、デコードして得られた字幕のデータを映像信号処理回路２６に出力する。
【００３６】
映像デコーダ２４は、多重分離器２０−１乃至２０−ｎから供給されたパケットをデコードし、デコードして得られた映像データを映像信号処理回路２６に出力する。
【００３７】
音声デコーダ２５は、多重分離器２０−１乃至２０−ｎから供給されたパケットをデコードし、デコードして得られた音声データをD/A(Digital/Analog)変換器２８に出力する。
【００３８】
映像信号処理回路２６は、SI-EITデコーダ２２のバッファ２２Ａに格納されているSI-EITに基づいて番組表の表示に用いられる信号を生成し、生成した信号を、ケーブルなどを介して接続される図示せぬテレビジョン受像機に映像出力端子２７から出力する。
【００３９】
また、映像信号処理回路２６は、字幕デコーダ２３、映像デコーダ２４から供給されたデータに基づいて、番組の映像信号を生成し、生成した映像信号を、テレビジョン受像機に映像出力端子２７から出力する。
【００４０】
D/A変換器２８は、音声デコーダ２５から供給された音声データに対してD/A変換を施し、D/A変換を施すことによって得られた音声信号を、テレビジョン受像機に音声出力端子２９から出力する。
【００４１】
以下、説明の便宜上、ｎの値は２とし、チューナ１７−２、復調器１８−２、デスクランブラ１９−２、多重分離器２０−２を用いて、視聴の対象としてユーザにより選択された番組の受信が行われているものとする。
【００４２】
受信された番組の映像は、映像デコーダ２４によりデコードされたデータを用いてテレビジョン受像機に表示され、音声は、音声デコーダ２５によりデコードされたデータを用いてテレビジョン受像機のスピーカから出力される。番組の受信が行われている間、SI-EITの提供が行われている時間を除いて、チューナ１７−１は未使用のチューナとなる。
【００４３】
図２は、以上のような構成を有する番組再生装置１により表示されるラテ欄形式の番組表の例を示す図である。
【００４４】
ユーザにより番組の視聴が行われている状態において、リモートコントローラ１５に設けられる番組表ボタンが押され、番組表の表示が指示されたとき、テレビジョン受像機には、番組の映像に替えて、または番組の映像に重ねて、図２に示されるような番組表が表示される。番組表が表示されている間も、ユーザにより視聴されている番組の受信は、チューナ１７−２、復調器１８−２、デスクランブラ１９−２、多重分離器２０−２を用いて続けられる。
【００４５】
図２の番組表の横方向はチャンネルを表し、縦方向は時間帯を表す。図２の例においては、０３７，０４７，０５７，０６７，０７７，０８７，０９７の７つのチャンネルが横方向に並べて表示され、１５：００から１９：００までの時間帯が縦方向に表示されている。
【００４６】
放送が行われるチャンネル、時間帯に応じた位置にある表示欄がそれぞれの番組に割り当てられ、それぞれの表示欄には番組のタイトルが表示される。例えば、０３７チャンネルの列に並ぶ「番組３７Ａ」、「番組３７Ｂ」、「番組３７Ｃ」、「番組３７Ｄ」、「番組３７Ｅ」は、それぞれ、０３７チャンネルで放送される番組のタイトルである。これらのタイトルは、SI-EITデコーダ２２により取得され、バッファ２２Ａに格納されているEIT[schedule basic]に基づいて表示される。
【００４７】
番組表にはカーソルＣが表示される。図２の例においては、０５７チャンネルで放送される「番組５７Ｂ」を選択した状態でカーソルＣが表示されている。番組表が表示された直後には、ユーザがそれまで視聴していた番組（「番組５７Ｂ」）を選択した状態でカーソルＣは表示される。
【００４８】
ユーザは、リモートコントローラ１５に設けられる十字キーを押してカーソルＣを移動させ、所定の番組を選択することができる。例えば、カーソルＣを用いて所定の番組が選択され、リモートコントローラ１５に設けられる決定ボタンを押すなどの所定の操作が行われたとき、そのとき選択されている番組の番組説明画面が表示される。
【００４９】
図３は、図２の状態において、十字キーの下方向のキーが押されたときの番組表の様子を示す図である。
【００５０】
十字キーの下方向のキーが押されたとき、図３の白抜き矢印に示されるように、カーソルＣは下方向に移動し、それまで選択されていた「番組５７Ｂ」の下に表示されている「番組５７Ｃ」を選択した状態となる。
【００５１】
このとき、番組再生装置１においては、未使用のチューナであるチューナ１７−１の他に、復調器１８−１、デスクランブラ１９−１、多重分離器２０−１を用いて、カーソルＣによって選択されている「番組５７Ｃ」と同じ０５７チャンネルで放送される番組のEIT[schedule extended]の受信とデコードが開始される。
【００５２】
番組説明画面の表示が指示される前にデコードが完了することによって取得された「番組５７Ｃ」のEIT[schedule extended]は、SI-EITデコーダ２２のバッファ２２Ａに格納される。
【００５３】
カーソルＣによって選択されている番組の前後（時間軸上で前後）に並べて表示されている数件の番組の分のEIT[schedule extended]が取得されるまで、０５７チャンネルで放送されるそれぞれの番組を対象として、EIT[schedule extended]の受信とデコードが繰り返される。
【００５４】
例えば、「番組５７Ｃ」がカーソルＣによって選択されている状態で番組説明画面を表示することがユーザにより指示された場合、その指示が行われる前に予め取得されていた「番組５７Ｃ」のEIT[schedule extended]に基づいて、「番組５７Ｃ」の詳細情報が番組説明画面に表示される。
【００５５】
すなわち、番組説明画面の表示がユーザにより指示される可能性の高い番組の詳細情報を予め受信し、デコードして先読みしておくことが行われる。これにより、番組再生装置１は、指示が行われてから詳細情報の受信を開始する場合に比べて、詳細情報を表示するまでの時間を短縮させることができる。ユーザが操作を行ってから、その操作が表示に反映されるまでのレスポンスが速くなり、ユーザにストレスを感じさせることもなくなる。
【００５６】
ここで、図４のフローチャートを参照して、番組表の表示を制御する番組再生装置１の処理について説明する。
【００５７】
この処理は、チューナ１７−２、復調器１８−２、デスクランブラ１９−２、多重分離器２０−２を用いて所定の番組の受信が行われ、番組の視聴がユーザにより行われているときに開始される。
【００５８】
ステップＳ１において、CPU１１は、I/F１４からシステムバス１６を介して供給されるユーザの操作を表す信号に基づいて、番組表を表示する操作がユーザにより行われたか否かを判定する。CPU１１は、番組表を表示する操作がユーザにより行われたとステップＳ１において判定するまで待機する。
【００５９】
例えば、リモートコントローラ１５に設けられる番組表ボタンが押されたことから、番組表を表示する操作がユーザにより行われたとステップＳ１において判定された場合、ステップＳ２において、映像信号処理回路２６は、SI-EITデコーダ２２のバッファ２２Ａに格納されているEIT[schedule basic]に基づいて、図２に示されるような番組表の表示を開始する。番組表には、それまでユーザが視聴していた番組を選択した状態でカーソルＣが表示される。
【００６０】
ステップＳ３において、CPU１１は、未使用のチューナであるチューナ１７−１に対する電力の供給を開始する。以降、チューナ１７−１は、詳細情報の先読みに用いられる。
【００６１】
ステップＳ４において、CPU１１は、カーソルＣを移動させる操作、すなわち、カーソルＣによって選択対象とする番組を変更する操作がユーザにより行われたか否かを判定する。
【００６２】
選択対象の番組を変更する操作が行われたとステップＳ４において判定した場合、ステップＳ５において、CPU１１は、そのことを表す信号を映像信号処理回路２６に出力し、ユーザの操作に応じて、表示を変更させる。
【００６３】
例えば、十字キーの上下方向のキーが押された場合、カーソルＣは、ユーザが視聴していた番組と同じチャンネルの番組を選択した状態となり、左右方向のキーが押された場合、カーソルＣは、ユーザが視聴していた番組とは異なるチャンネルの番組を選択した状態となる。
【００６４】
ステップＳ６において、CPU１１は、チューナ１７−１を制御し、カーソルＣによって選択対象となっている番組と同じチャンネルで放送される番組のEIT[schedule extended]（EPGデータ）の受信を開始させる。例えば、カーソルＣによって選択対象となっている番組のEIT[schedule extended]の先読みが開始され、それが完了した後、番組表において、カーソルＣによって選択対象となっている番組の前後に並ぶ数件の番組の分のEIT[schedule extended]の先読みが順次行われる。
【００６５】
ステップＳ７において、CPU１１は、番組説明画面を表示させる操作がユーザにより行われたか否かを判定する。
【００６６】
番組説明画面を表示させる操作がユーザにより行われていないとステップＳ７において判定した場合、ステップＳ４に戻り、CPU１１は、それ以降の処理を繰り返す。
【００６７】
一方、番組説明画面を表示させる操作が行われたとステップＳ７において判定された場合、ステップＳ８において、映像信号処理回路２６は、CPU１１による制御に従って番組説明画面を表示させる。番組説明画面には、番組のタイトル、ジャンル、放送日時などの情報がEIT[schedule basic]に基づいて表示されるとともに、出演者やあらすじなどの詳細情報をEIT[schedule extended]に基づいて表示する欄が設けられる。
【００６８】
ステップＳ９において、映像信号処理回路２６は、番組説明画面を表示することが指示された番組のEIT[schedule extended]が取得済みであるか否かを判定する。
【００６９】
EIT[schedule extended]が取得済みであるとステップＳ９において判定した場合、映像信号処理回路２６は、SI-EITデコーダ２２のバッファ２２Ａに格納されているEIT[schedule extended]を読み出し、ステップＳ１０において、番組説明画面に設けられている欄に、詳細情報を表示させる。
【００７０】
図５、図６は、番組説明画面の表示例を示す図である。
【００７１】
例えば、図２の番組表から、カーソルＣによって「番組５７Ｃ」が選択され、番組説明画面の表示が指示された場合、図５に示されるように、番組説明画面には、そのタイトル、ジャンル、放送日時の情報が表示される。図５の例においては、「番組５７Ｃ」のジャンルは「バラエティ」とされ、放送日時は「２００７年１１月１日（木）  １７：００〜１９：００」とされている。これらの情報の下には、詳細情報が表示される欄である詳細欄Ａが設けられている。
【００７２】
番組説明画面の表示を開始する前に「番組５７Ｃ」のEIT[schedule extended]が既に取得済みである場合、詳細欄Ａには、図５に示される画面が表示された直後に、図６に示されるような詳細情報が表示される。図６の例においては、「番組５７Ｃ」のあらすじである「アップアップがお送りするスペシャルトークショー。・・・」が表示されている。
【００７３】
これにより、ユーザは、番組説明画面の表示を開始する操作を行った直後に、詳細情報を確認することができる。
【００７４】
図４の説明に戻り、一方、ステップＳ９において、EIT[schedule extended]が取得済みでないと判定された場合、ステップＳ１１において、EIT[schedule extended]を取得する処理が継続される。EIT[schedule extended]の取得が完了次第、図６に示されるように、詳細情報が詳細欄Ａに表示される。
【００７５】
ステップＳ１０，Ｓ１１において詳細情報を表示した場合、または、ステップＳ４において、選択対象とする番組を変更する操作が行われていないと判定された場合、ステップＳ１２において、CPU１１は、番組表を消去する操作がユーザにより行われたか否かを判定する。
【００７６】
番組表を消去する操作がユーザにより行われていないとステップＳ１２において判定した場合、ステップＳ４に戻り、CPU１１は、それ以降の処理を繰り返す。
【００７７】
一方、番組表を消去する操作が行われたとステップＳ１２において判定された場合、ステップＳ１３において、映像信号処理回路２６は、番組表を消去する。このとき、テレビジョン受像機には、番組表の表示が指示される前に視聴が行われていた番組の映像が表示される。
【００７８】
ステップＳ１４において、CPU１１は、詳細情報の先読みに使用していたチューナ１７−１に対する電力の供給を停止し、処理を終了させる。
【００７９】
以上の処理により、番組再生装置１は、番組の詳細情報が表示されるまでの時間を短縮することができる。
【００８０】
以上においては、チューナの数が２つであり、一方のチューナを用いて番組の受信が行われ、他方のチューナを用いて、カーソルＣによって選択対象になっている番組と同じチャンネルで放送される番組の詳細情報についてだけ、先読みが行われるものとしたが、チューナなどの、詳細情報の受信を行う構成に余裕がある場合、カーソルＣによって選択対象になっている番組と異なるチャンネルで放送される番組の詳細情報についても先読みが行われるようにしてもよい。
【００８１】
また、SI-EITが、放送波を介してではなく、インターネットなどのネットワークを介して所定のサーバから取得されるようになされている場合、詳細情報の先読みの処理として、そのサーバに対するアクセスと詳細情報のダウンロードが行われるようにしてもよい。ダウンロードが行われることによって、例えば、番組表に掲載されるすべての番組についての詳細情報が取得される。
【００８２】
さらに、番組再生装置１により取得されるコンテンツは、放送波を介して取得されるコンテンツだけでなく、ネットワークを介して提供されるコンテンツであってもよい。
【００８３】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどに、プログラム記録媒体からインストールされる。
【００８４】
図７は、上述した一連の処理をプログラムにより実行するコンピュータのハードウエアの構成例を示すブロック図である。
【００８５】
CPU(Central Processing Unit)５１、ROM(Read Only Memory)５２、RAM(Random Access Memory)５３は、バス５４により相互に接続されている。
【００８６】
バス５４には、さらに、入出力インタフェース５５が接続されている。入出力インタフェース５５には、キーボード、マウス、マイクロホンなどよりなる入力部５６、ディスプレイ、スピーカなどよりなる出力部５７、ハードディスクや不揮発性のメモリなどよりなる記憶部５８、ネットワークインタフェースなどよりなる通信部５９、光ディスクや半導体メモリなどのリムーバブルメディア６１を駆動するドライブ６０が接続されている。
【００８７】
以上のように構成されるコンピュータでは、CPU５１が、例えば、記憶部５８に記憶されているプログラムを入出力インタフェース５５及びバス５４を介してRAM５３にロードして実行することにより、上述した一連の処理が行われる。
【００８８】
CPU５１が実行するプログラムは、例えばリムーバブルメディア６１に記録して、あるいは、ローカルエリアネットワーク、インターネット、デジタル放送といった、有線または無線の伝送媒体を介して提供され、記憶部５８にインストールされる。
【００８９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００９０】
本発明の実施の形態は、上述した実施の形態に限定されるものではなく、本発明の要旨を逸脱しない範囲において種々の変更が可能である。
【図面の簡単な説明】
【００９１】
【図１】本発明の一実施形態に係る番組再生装置の構成例を示すブロック図である。
【図２】番組表の例を示す図である。
【図３】番組表の他の例を示す図である。
【図４】番組再生装置の表示制御処理について説明するフローチャートである。
【図５】番組説明画面の表示例を示す図である。
【図６】番組説明画面の他の表示例を示す図である。
【図７】コンピュータの構成例を示すブロック図である。
【符号の説明】
【００９２】
１  番組再生装置，  １７−１乃至１７−ｎ  チューナ，  １８−１乃至１８−ｎ  復調器，  １９−１乃至１９−ｎ  デスクランブラ，  ２０−１乃至２０−ｎ  多重分離器，  ２２  SI-EITデコーダ，  ２６  映像信号処理回路
【図１】
2009130755.tif 000003
【図２】
2009130755.tif 000004
【図３】
2009130755.tif 000005
【図４】
2009130755.tif 000006
【図５】
2009130755.tif 000007
【図６】
2009130755.tif 000008
【図７】
2009130755.tif 000009